(57)【要約】【課題】  子機の電源をオンするだけで親機の電源も自動的にオンすることにより，無線による双方向通信を行う際の操作性の煩わしさを改善する。【解決手段】  親機２０と子機１０との間で無線による双方向のデータ通信が可能な通信システム１であって，子機は，子機の電源をオン又はオフするための電源スイッチ１２と，電源スイッチがオン又はオフされると，これに連動して親機の電源をオン又はオフするための電源制御信号を発信するで電源制御信号発信部１４と，親機に対して無線による双方向のデータ通信を行うデータ通信部１８とを備え，親機は，子機の発信部１６からの電源制御信号を受信する電源制御信号受信部２４と，受信部２４から受信した電源制御信号に応じて親機の電源をオン又はオフする電源制御手段２６と，子機に対して無線による双方向のデータ通信を行うデータ通信部２８とを備えた。【選択図】    図１
2005303678.tif 000002
【特許請求の範囲】
【請求項１】
親機と子機との間で無線による双方向のデータ通信が可能な通信システムであって，
前記子機は，前記子機の電源をオン又はオフするための電源スイッチと，前記電源スイッチがオン又はオフされると，これに連動して前記親機の電源をオン又はオフするための電源制御信号を発信する発信手段と，前記親機に対して無線による双方向のデータ通信を行うデータ通信手段とを備え，
前記親機は，前記子機の発信手段からの電源制御信号を受信する受信手段と，前記受信手段から受信した電源制御信号に応じて前記親機の電源をオン又はオフする電源制御手段と，前記子機に対して無線による双方向のデータ通信を行うデータ通信手段とを備えたことを特徴とする通信システム。
【請求項２】
前記子機の発信手段は，前記子機の電源スイッチに連動する連動スイッチと，この連動スイッチにより赤外線による電源制御信号を発信する発光部とから構成され，
前記親機の受信手段は，前記子機からの赤外線による電源制御信号を受信する受光部とから構成されることを特徴とする請求項１に記載の通信システム。
【請求項３】
前記子機の発信手段は，前記子機の電源スイッチがオン又はオフされたことを判断する判断手段と，この判断手段による判断結果に基づいて赤外線による電源制御信号を発信する発光部とから構成され，
前記親機の受信手段は，前記子機からの赤外線による電源制御信号を受信する受光部とから構成されることを特徴とする請求項１に記載の通信システム。
【請求項４】
前記子機の発信手段は，前記子機の電源スイッチに連動して電波による電源制御信号を送信するトランスミッタにより構成され，
前記親機の受信手段は，前記子機のトランスミッタからの電波による電源制御信号を受信するレシーバにより構成されることを特徴とする請求項１に記載の通信システム。
【請求項５】
親機との間で無線による双方向のデータ通信が可能な子機としての送受信装置であって，
前記送受信装置の電源をオン又はオフするための電源スイッチと，前記電源スイッチがオン又はオフされると，これに連動して前記親機の電源をオン又はオフするための電源制御信号を発信する発信手段と，前記親機に対して無線による双方向のデータ通信を行うデータ通信手段とを備えたことを特徴とする送受信装置。
【請求項６】
子機との間で無線による双方向のデータ通信が可能な親機としての送受信装置であって，
前記送受信装置は，前記子機からの電源制御信号を受信する受信手段と，前記受信手段から受信した電源制御信号に応じて前記送受信装置の電源をオン又はオフする電源制御手段と，前記子機に対して無線による双方向のデータ通信を行うデータ通信手段とを備えたことを特徴とする送受信装置。
【請求項７】
１次ディスプレイを有し，マルチメディアコンテンツを受信，視聴可能な親機と，２次ディスプレイを有する子機との間でマルチメディアコンテンツについての無線による双方向データ通信が可能な受像システムであって，
前記子機は，前記子機の電源をオン又はオフするための電源スイッチと，前記電源スイッチがオン又はオフされると，これに連動して前記親機の電源をオン又はオフするための電源制御信号を発信する発信手段と，前記親機に対して無線による双方向のデータ通信を行うデータ通信手段とを備え，
前記親機は，前記子機の発信手段からの電源制御信号を受信する受信手段と，前記受信手段から受信した電源制御信号に応じて前記親機の電源をオン又はオフする電源制御手段と，前記子機に対して無線による双方向のデータ通信を行うデータ通信手段とを備えたことを特徴とする受像システム。
【請求項８】
前記子機の発信手段は，前記子機の電源スイッチに連動する連動スイッチと，この連動スイッチにより赤外線による電源制御信号を発信する発光部とから構成され，
前記親機の受信手段は，前記子機からの赤外線による電源制御信号を受信する受光部とから構成されることを特徴とする請求項７に記載の受像システム。
【請求項９】
前記子機の発信手段は，前記子機の電源スイッチがオン又はオフされたことを判断する判断手段と，この判断手段による判断結果に基づいて赤外線による電源制御信号を発信する発光部とから構成され，
前記親機の受信手段は，前記子機からの赤外線による電源制御信号を受信する受光部とから構成されることを特徴とする請求項７に記載の受像システム。
【請求項１０】
前記子機の発信手段は，前記子機の電源スイッチに連動して電波による電源制御信号を送信するトランスミッタにより構成され，
前記親機の受信手段は，前記子機のトランスミッタからの電波による電源制御信号を受信するレシーバにより構成されることを特徴とする請求項７に記載の受像システム。
【請求項１１】
前記親機の電源制御手段は，前記受信手段が前記子機からの電源制御信号を受信したときには，少なくとも前記マルチメディアコンテンツを無線による双方向データ通信により送受信する送受信部と，前記マルチメディアコンテンツを受信するコンテンツ受信部とに駆動電圧を供給又は遮断することを特徴とする請求項７に記載の受像システム。
【請求項１２】
前記子機は，前記親機の１次ディスプレイの電源をオン又はオフする１次ディスプレイ用スイッチを備え，
前記子機の発信手段は，１次ディスプレイ用スイッチがオン又はオフされると，１次ディスプレイ電源制御信号を発信し，
前記親機の受信手段が，前記子機の発信手段からの１次ディスプレイ電源制御信号を受信すると，前記電源制御手段は，前記１次ディスプレイ電源制御信号に応じて１次ディスプレイ及び１次ディスプレイに対する処理を行う部分に駆動電圧を供給又は遮断することを特徴とする請求項１１に記載の受像システム。
【請求項１３】
１次ディスプレイを有し，マルチメディアコンテンツを受信，視聴可能な親機と，２次ディスプレイを有する子機との間でマルチメディアコンテンツについての無線による双方向データ通信が可能な受像システムにおける前記子機としての送受信装置であって，
前記送受信装置の電源をオン又はオフするための電源スイッチと，前記電源スイッチがオン又はオフされると，これに連動して前記親機の電源をオン又はオフするための電源制御信号を発信する発信手段と，前記親機に対して無線による双方向のデータ通信を行うデータ通信手段とを備えたことを特徴とする送受信装置。
【請求項１４】
１次ディスプレイを有し，マルチメディアコンテンツを受信，視聴可能な親機と，２次ディスプレイを有する子機との間でマルチメディアコンテンツについての無線による双方向データ通信が可能な受像システムにおける前記親機としての送受信装置であって，
前記送受信装置は，前記子機からの電源制御信号を受信する受信手段と，前記受信手段から受信した電源制御信号に応じて前記送受信装置の電源をオン又はオフする電源制御手段と，前記子機に対して無線による双方向のデータ通信を行うデータ通信手段とを備えたことを特徴とする送受信装置。
【請求項１５】
親機と子機との間で無線による双方向のデータ通信が可能な通信方法であって，
前記子機の電源スイッチがオン又はオフされると，これに連動して前記親機の電源をオン又はオフするための電源制御信号を発信手段により発信する発信段階と，
前記子機からの電源制御信号を前記親機の受信手段により受信する受信段階と，
前記親機の受信手段から受信した電源制御信号に応じて前記親機の電源をオン又はオフする電源制御段階と，
前記子機の電源スイッチがオンされると，前記親機と前記子機との間で無線による双方向のデータ通信を可能とするための処理を行うデータ通信段階と，
を有することを特徴とする通信方法。
【請求項１６】
前記子機による発信段階は，前記子機の電源スイッチに連動して発光部から赤外線による電源制御信号を発信し，
前記親機による受信段階は，前記子機からの赤外線による電源制御信号を受光部から受信することを特徴とする請求項１５に記載の通信方法。
【請求項１７】
前記子機による発信段階は，前記子機の電源スイッチがオン又はオフされたことを判断し，判断結果に基づいて赤外線による電源制御信号を発光部から発信し，
前記親機による受信段階は，前記子機からの赤外線による電源制御信号を受光部から受信することを特徴とする請求項１５に記載の通信方法。
【請求項１８】
前記子機による発信段階は，前記子機の電源スイッチに連動して電波による電源制御信号をトランスミッタにより送信し，
前記親機による受信段階は，前記子機のトランスミッタからの電波による電源制御信号をレシーバにより受信することを特徴とする請求項１５に記載の通信方法。
【発明の詳細な説明】
【技術分野】
【０００１】
本発明は，通信システム，送受信装置，受像システム，通信方法に関する。
【背景技術】
【０００２】
例えば無線ＬＡＮ(Local
Area Network)などの通信手段によって相互にデータ通信可能な親機，子機を備えた通信システムにおいては，一般に親機と子機それぞれに電源スイッチがある。かかる通信システムにおいて通信を行う場合には，親機と子機の両方に電源が入っていなければデータ通信を行うことができない。このため，通信システムを起動させる際に，先ず親機と子機それぞれの電源スイッチをオンさせる必要がある。これにより，親機と子機とが繋がって，無線ＬＡＮの通信確率処理が可能となる。すなわち，親機と子機とが相互に認識し合うことにより，無線ＬＡＮの通信確立処理が行われる。通信が確立したところで，親機と子機とのデータのやり取りが可能となる。
【０００３】
【特許文献１】特開２００１−２０３９０８号公報
【発明の開示】
【発明が解決しようとする課題】
【０００４】
しかしながら，親機と子機との間で無線通信を行うような通信システムでは，親機と子機とが離れて設置されている場合が多い。このため，親機と子機の間でデータ通信を行う際に，親機と子機の両方の電源をオンしなければならないのは，手間がかかるという問題があった。
【０００５】
例えば特許文献１に開示されている技術のように，大画面のディスプレイを備えたテレビジョン本体（親機に相当）と，小画面のタッチパネルディスプレイを備えた補助入出力装置（子機に相当）との間で映像や音声の無線によるデータ通信を行う通信システムでは，通常離れて設置される親機と子機との両方の電源をオンしなければ，無線によるデータ通信を行うことができないため，操作が煩わしいという問題があった。
【０００６】
特に，このような通信システムでは，子機は親機に内蔵されたチューナより受信した放送映像などを無線通信によって受信することにより，その放送映像を子機側のディスプレイに表示させることができるので，たとえ子機側だけで放送映像などを見たい場合であっても，親機の電源が入っていなければ子機で映像を見ることができないという問題もあった。
【０００７】
また，例えばテレビチューナを備え，ディスプレイを持たないベースステーション（親機に相当）により受信した映像をディスプレイ装置（子機に相当）により無線による双方向通信により受信して表示する通信システムにおいて，子機側で映像を見たい場合にも上記と同様の問題が生じる。
【０００８】
その他，エアーステーション（親機に相当），パーソナルコンピュータ（子機に相当）との間で無線による双方向通信を行うような通信システムの場合でも，上記と同様の問題が生じる。エアーステーションを親機とするような場合は，消費電力があまりかからなければ，電源を常時オンにするような使い方も考えられる。このような使い方をすれば子機の電源のみをオンするだけでも，無線通信も可能となる。しかしながら，上述した放送映像などを表示するディスプレイ装置などの親機では，消費電力量が大きくなりすぎるため，親機を常時オンする使い方は考えられない。このため，子機のみの電源をオンすれば親機の電源も自動的にオンされると便利である。
【０００９】
そこで，本発明は，このような問題に鑑みてなされたもので，その目的とするところは，子機の電源をオンするだけで親機の電源も自動的にオンされ，無線による双方向通信を行う際の操作性の煩わしさを改善することができる通信システム，送受信装置，受像システム，通信方法を提供することにある。
【課題を解決するための手段】
【００１０】
上記課題を解決するために，本発明のある観点によれば，改善された通信システムが提供される。この通信システムは，親機と子機との間で無線による双方向のデータ通信が可能な通信システムであって，子機は，この子機の電源をオン又はオフするための電源スイッチと，電源スイッチがオン又はオフされると，これに連動して親機の電源をオン又はオフするための電源制御信号を発信する発信手段と，親機に対して無線による双方向のデータ通信を行うデータ通信手段とを備え，親機は，子機の発信手段からの電源制御信号を受信する受信手段と，受信手段から受信した電源制御信号に応じて親機の電源をオン又はオフする電源制御手段と，子機に対して無線による双方向のデータ通信を行うデータ通信手段とを備えたことを特徴とする。
【００１１】
本発明によれば，例えば子機の電源スイッチをオンするだけで親機の電源をオンすることができ，また子機の電源スイッチをオフするだけで親機の電源をオフすることができるので，親機の電源スイッチまで投入しに行く手間を省くことができる。これにより，例えば子機の電源をオンするだけで，親機と間で無線による双方向のデータ通信が可能となるので，操作性を向上させることができる。特に，無線通信を行う子機と親機とは離れて設置されている場合が多く，しかも子機は手元にある場合が多いため，子機の電源スイッチをオンするだけで，親機との無線通信が可能となるのは，利便性が高い。
【００１２】
また，上記通信システムにおける子機の発信手段は，例えば子機の電源スイッチに連動する連動スイッチと，この連動スイッチにより赤外線による電源制御信号を発信する発光部とから構成され，親機の受信手段は，子機からの赤外線による電源制御信号を受信する受光部とから構成されるようにしてもよい。これにより，子機の電源スイッチをオンすれば連動スイッチにより直ちに赤外線による電源制御信号が発信され，親機の電源がオンされる。
【００１３】
また，上記子機の発信手段は，子機の電源スイッチがオン又はオフされたことを判断する判断手段と，この判断手段による判断結果に基づいて赤外線による電源制御信号を発信する発光部とから構成され，親機の受信手段は，子機からの赤外線による電源制御信号を受信する受光部とから構成されるようにしてもよい。また，上記子機の発信手段は，子機の電源スイッチに連動して電波による電源制御信号を送信するトランスミッタにより構成され，親機の受信手段は，子機のトランスミッタからの電波による電源制御信号を受信するレシーバにより構成されるようにしてもよい。このようなリモコンなどに使用される赤外線光信号やキーレスエントリシステムに使用される電波などを利用することによって，親機に電源がオンされていなくても，親機の電源をオンさせることができる。
【００１４】
上記課題を解決するために，本発明の別の観点によれば，改善された子機としての送受信装置が提供される。この送受信装置は，親機との間で無線による双方向のデータ通信が可能な子機としての送受信装置であって，送受信装置の電源をオン又はオフするための電源スイッチと，電源スイッチがオン又はオフされると，これに連動して親機の電源をオン又はオフするための電源制御信号を発信する発信手段と，親機に対して無線による双方向のデータ通信を行うデータ通信手段とを備えたことを特徴とする。
【００１５】
上記課題を解決するために，本発明の別の観点によれば，改善された親機としての送受信装置が提供される。この送受信装置は，子機との間で無線による双方向のデータ通信が可能な親機としての送受信装置であって，送受信装置は，子機からの電源制御信号を受信する受信手段と，受信手段から受信した電源制御信号に応じて送受信装置の電源をオン又はオフする電源制御手段と，子機に対して無線による双方向のデータ通信を行うデータ通信手段とを備えたことを特徴とする。
【００１６】
このような構成の子機，親機によれば，例えば子機の電源スイッチをオンするだけで親機の電源をオンすることができるので，親機の電源スイッチまで投入しに行く手間を省くことができ，操作性を向上させることができる。
【００１７】
上記課題を解決するために，本発明の別の観点によれば，改善された受像システムが提供される。この受像システムは，１次ディスプレイを有し，マルチメディアコンテンツを受信，視聴可能な親機と，２次ディスプレイを有する子機との間でマルチメディアコンテンツについての無線による双方向データ通信が可能な受像システムであって，子機は，この子機の電源をオン又はオフするための電源スイッチと，電源スイッチがオン又はオフされると，これに連動して親機の電源をオン又はオフするための電源制御信号を発信する発信手段と，親機に対して無線による双方向のデータ通信を行うデータ通信手段とを備え，親機は，子機の発信手段からの電源制御信号を受信する受信手段と，受信手段から受信した電源制御信号に応じて親機の電源をオン又はオフする電源制御手段と，子機に対して無線による双方向のデータ通信を行うデータ通信手段とを備えたことを特徴とする。
【００１８】
このような本発明にかかる受像装置によれば，例えば子機の電源スイッチをオンするだけで親機の電源をオンすることができるので，親機の電源スイッチまで投入しに行く手間を省くことができる。これにより，例えば子機の電源をオンするだけで，親機と間で無線による双方向のデータ通信が可能となるので，操作性を向上させることができる。特に，この受像システムの子機は例えば親機に内蔵されたチューナより受信した放送映像などを無線通信によって受信することにより，その放送映像を子機側の２次ディスプレイに表示させることができる。このため，たとえ子機側の２次ディスプレイだけで放送映像などを見たい場合，子機の電源スイッチをオンするだけで，親機の電源が自動的にオンされ，子機と親機との間で無線通信が可能となる。このように，子機側の電源スイッチをオンするだけで，子機側のみでも映像を見ることができるので，親機側の電源スイッチもオンしなければならなかった従来に比して操作性を向上させることができる。
【００１９】
また，上記通信システムにおける子機の発信手段は，例えば子機の電源スイッチに連動する連動スイッチと，この連動スイッチにより赤外線による電源制御信号を発信する発光部とから構成され，親機の受信手段は，子機からの赤外線による電源制御信号を受信する受光部とから構成されるようにしてもよい。これにより，子機の電源スイッチをオンすれば連動スイッチにより直ちに赤外線による電源制御信号が発信され，親機の電源がオンされる。
【００２０】
また，上記子機の発信手段は，子機の電源スイッチがオン又はオフされたことを判断する判断手段と，この判断手段による判断結果に基づいて赤外線による電源制御信号を発信する発光部とから構成され，親機の受信手段は，子機からの赤外線による電源制御信号を受信する受光部とから構成されるようにしてもよい。また，上記子機の発信手段は，子機の電源スイッチに連動して電波による電源制御信号を送信するトランスミッタにより構成され，親機の受信手段は，子機のトランスミッタからの電波による電源制御信号を受信するレシーバにより構成されるようにしてもよい。
【００２１】
また，上記受像システムにおける親機の電源制御手段は，受信手段が子機からの電源制御信号を受信したときには，少なくともマルチメディアコンテンツを無線による双方向データ通信により送受信する送受信部と，マルチメディアコンテンツを受信するコンテンツ受信部とに駆動電圧を供給又は遮断することを特徴とする。このように，親機の各回路部のうち一部について駆動電圧を供給することにより，親機で受信したマルチメディアコンテンツの映像を子機側のみで見るのに必要十分な部分だけを駆動させることができる。この場合は，多くの消費電力が必要な例えば大画面で構成される１次ディスプレイなどはオフしているため，消費電力を軽減させることができる。
【００２２】
また，上記受像システムの子機は，親機の１次ディスプレイの電源をオン又はオフする１次ディスプレイ用スイッチを備え，子機の発信手段は，１次ディスプレイ用スイッチがオン又はオフされると，１次ディスプレイ電源制御信号を発信し，親機の受信手段が，子機の発信手段からの１次ディスプレイ電源制御信号を受信すると，電源制御手段は，１次ディスプレイ電源制御信号に応じて１次ディスプレイ及び１次ディスプレイに対する処理を行う部分に駆動電圧を供給又は遮断するようにしてもよい。これにより，１次ディスプレイでも映像を見たいときには，子機の１次ディスプレイ用スイッチをオンするだけで，１次ディスプレイに電源が入り映像を見ることができるので操作性を向上させることができる。
【００２３】
上記課題を解決するために，本発明の別の観点によれば，改善された受像システムの子機としての送受信装置が提供される。この送受信装置は，１次ディスプレイを有し，マルチメディアコンテンツを受信，視聴可能な親機と，２次ディスプレイを有する子機との間でマルチメディアコンテンツについての無線による双方向データ通信が可能な受像システムにおける子機としての送受信装置であって，送受信装置の電源をオン又はオフするための電源スイッチと，電源スイッチがオン又はオフされると，これに連動して親機の電源をオン又はオフするための電源制御信号を発信する発信手段と，親機に対して無線による双方向のデータ通信を行うデータ通信手段とを備えたことを特徴とする。
【００２４】
上記課題を解決するために，本発明の別の観点によれば，改善された受像システムの親機としての送受信装置が提供される。この送受信装置は，１次ディスプレイを有し，マルチメディアコンテンツを受信，視聴可能な親機と，２次ディスプレイを有する子機との間でマルチメディアコンテンツについての無線による双方向データ通信が可能な受像システムにおける親機としての送受信装置であって，送受信装置は，子機からの電源制御信号を受信する受信手段と，受信手段から受信した電源制御信号に応じて送受信装置の電源をオン又はオフする電源制御手段と，子機に対して無線による双方向のデータ通信を行うデータ通信手段とを備えたことを特徴とする。
【００２５】
このような構成の子機，親機によれば，例えば受像システムの子機の電源スイッチをオンするだけで親機の電源をオンすることができるので，親機の電源スイッチまで投入しに行く手間を省くことができ，操作性を向上させることができる。
【００２６】
上記課題を解決するために，本発明の別の観点によれば，改善された通信方法が提供される。この通信方法は，親機と子機との間で無線による双方向のデータ通信が可能な通信方法であって，子機の電源スイッチがオン又はオフされると，これに連動して親機の電源をオン又はオフするための電源制御信号を発信手段により発信する発信段階と，子機からの電源制御信号を親機の受信手段により受信する受信段階と，親機の受信手段から受信した電源制御信号に応じて親機の電源をオン又はオフする電源制御段階と，子機の電源スイッチがオンされると，親機と子機との間で無線による双方向のデータ通信を可能とするための処理を行うデータ通信段階とを有することを特徴とする。
【００２７】
また，上記通信方法において，子機による発信段階は，子機の電源スイッチに連動して発光部から赤外線による電源制御信号を発信し，親機による受信段階は，子機からの赤外線による電源制御信号を受光部から受信するようにしてもよい。
【００２８】
また，上記通信方法において，子機による発信段階は，子機の電源スイッチがオン又はオフされたことを判断し，判断結果に基づいて赤外線による電源制御信号を発光部から発信し，親機による受信手段は，子機からの赤外線による電源制御信号を受光部から受信するようにしてもよい。
【００２９】
また，上記通信方法において，子機による発信手段は，子機の電源スイッチに連動して電波による電源制御信号をトランスミッタにより送信し，親機による受信手段は，子機のトランスミッタからの電波による電源制御信号をレシーバにより受信するようにしてもよい。
【発明の効果】
【００３０】
以上説明したように本発明によれば，子機の電源をオンするだけで親機の電源も自動的にオンされ，無線による双方向通信を行う際の煩わしさを改善することができ，操作性を向上させることができる。
【発明を実施するための最良の形態】
【００３１】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３２】
先ず，本発明を親機と子機との間で無線による双方向のデータ通信が可能な通信システムに適用した第１の実施形態について図面を参照しながら説明する。図１は本実施形態にかかる通信システム１の概略構成を示すブロック図である。本実施形態にかかる通信システム１は，子機１０と親機２０とを備える。子機１０は，この子機１０の電源をオン又はオフするための電源スイッチ１２，この電源スイッチ１２に連動して親機２０の電源をオン又はオフするための電源制御信号を発信する発信手段の１例である電源制御信号発信部１４，電源スイッチ１２のオン又はオフに応じてデータ通信部１８を含む各部へ電源から必要な駆動電圧を供給，遮断する電源制御手段の１例としての電源制御部１６を備える。データ通信部１８は，後述する親機２０のデータ通信部２８との間で無線による双方向のデータ通信を行うものである。
【００３３】
親機２０は，この親機２０の電源をオン又はオフするための電源スイッチ２２の他，子機１０の電源制御信号発信部１４からの電源制御信号を受信する受信手段の１例としての電源制御信号受信部２４，親機２０のデータ通信部２８を含む各部へ電源から必要な電源電圧を供給又は遮断する電源制御部２６を備える。電源制御部２６は，電源スイッチ２２のオン又はオフに応じて親機２０の各部への電源電圧を供給する他，電源スイッチ２２のオン又はオフされなくても，電源制御信号受信部２４が子機１０からの電源制御信号を受信すると，その電源制御信号に応じて親機２０の各部への駆動電圧を供給する。データ通信部２８は，子機１０のデータ通信部１８との間で無線による双方向のデータ通信を行うものである。
【００３４】
このような構成の通信システム１は，図２（ａ）に示すように，例えば子機１０の電源スイッチ１２をオンすると，子機１０の各部に必要な駆動電圧が供給されるとともに，電源スイッチ１２に連動して電源制御信号発信部１４から電源制御信号が発信される。親機２０は電源制御信号受信部２４により子機１０からの電源制御信号を受信すると，親機２０側の電源スイッチ２２がオンされていなくても，親機２０の各部へ電源から必要な駆動電圧が供給される。このとき，親機２０のデータ通信部２８にも駆動電圧が供給されるため，子機１０のデータ通信部１８と親機２０のデータ通信部２８との間で相互通信が可能となる。
【００３５】
このように，子機１０の電源スイッチ１２がオンされると，親機２０の電源がオンして子機１０と親機２０との間で相互通信が可能となるため，図２（ｂ）に示すように，子機１０のデータ通信部１８は，親機２０のデータ通信部２８との間で無線通信上の認証（相互認証）を行う。そして，無線通信が確立すると，図２（ｃ）に示すようにユーザの操作による子機１０又は親機２０からの要求に応じて無線によるデータ送受信が行われる。
【００３６】
このような通信システム１によれば，例えば子機１０の電源スイッチ１２をオンするだけで親機２０の電源をオンすることができ，また子機１０の電源スイッチをオフするだけで親機２０の電源をオフすることができるので，親機２０の電源スイッチまで投入しに行く手間を省くことができる。これにより，例えば子機１０の電源をオンするだけで，親機２０と間で無線による双方向のデータ通信が可能となるので，操作性を向上させることができる。特に，無線通信を行う子機１０と親機２０とは離れて設置されている場合が多く，しかも子機１０は手元にある場合が多いため，子機１０の電源スイッチをオンするだけで，親機２０との無線通信が可能となるのは，利便性が高い。
【００３７】
なお，子機１０の電源制御信号発信部１４により発信される電源制御信号としては，例えばリモコンに用いられる赤外線による光信号，自動車などのキーレスエントリシステムなどに用いられる電波信号等が挙げられるが，これらに限定されることはない。すなわち，親機２０に電源がオンされていなくても，親機２０の電源をオンできる通信手段であればよく，子機１０と親機２０との間における相互認証の必要がない通信手段を適用する。
【００３８】
例えば子機１０の電源制御信号発信部１４は，図３に示すように電源スイッチ１２に連動する連動スイッチ３２と，この連動スイッチ３２に応じて電源制御信号として赤外線による光信号を発光する発光部３４とから構成する。この場合，親機２０の電源制御信号受信部２４は，子機１０からの光信号を受光する受光部３６により構成する。この場合の電源制御信号としては例えば所定コマンドのデータを光信号に変換したものを使用する。
【００３９】
また，子機１０の電源制御信号発信部１４は，必ずしも電源スイッチ１２に連動する図３に示すような連動スイッチ３２を設ける必要はなく，例えば図４に示すように連動スイッチを設ける代わりに電源スイッチ１２がオン又はオフすることを判断する判断部４２を設け，この判断部４２の判断結果に応じて発光部３４から電源制御信号を発光させるようにしてもよい。
【００４０】
さらに，子機１０の電源制御信号発信部１４は，図５に示すように例えば自動車などのキーレスエントリシステムで使用されるような，所定の電波信号を発信するトランスミッタ５０により構成し，親機２０の電源制御信号受信部２４は，トランスミッタ５０からの電波信号を受信するレシーバ６０により構成するようにしてもよい。
【００４１】
このようなトランスミッタ５０，レシーバ６０の具体的構成例を図６に示す。子機１０のトランスミッタ５０は，例えばＭＣＵ（Micro Controller Unit）５２，このＭＣＵ５２に接続されるアンテナ５４，バッテリ５６を備える。トランスミッタ５０のＭＣＵ５２は子機１０の電源スイッチ１２に接続されている。親機２０のレシーバ６０は，例えばＭＣＵ６２，このＭＣＵ６２に接続されるアンテナ６４，バッテリ６６を備える。レシーバ６０からの出力信号は，電源制御部２６へ供給される。なお，バッテリ５６，６６は，ＭＣＵを駆動させるだけの電力を供給するもので足りるので，電力消費量は極めて少ない。
【００４２】
これによれば，例えば子機１０の電源スイッチ１２をオンすると，トランスミッタ５０は，ＭＣＵ５２により予め設定されたＩＤ（上記電源制御信号に相当）を変調した電波をアンテナ５４から発信する。親機２０のレシーバでは，トランスミッタ５０からの電波をアンテナ６４で受信してそのＩＤを復調して，そのＩＤが予め設定されたものと同一の場合に出力信号を出力する。従って，例えばこの出力信号を親機２０の電源をオンするための所定のコマンド，すなわち上記受光部３６で受光する赤外線による光信号の場合と同一のコードにすれば，上記受光部３６から電源制御部２６への出力の代わりとして適用できる。こうすることにより，例えば親機２０に上記レシーバ６０と上記受光部３６の両方を設ける場合に，受光部３６の出力と上記レシーバ６０からの出力を電源制御部２６へオア入力させれば，受光部３６の出力と上記レシーバ６０からの出力のいずれかがあったときに親機２０の電源をオンさせることができる。
【００４３】
上述したような子機１０と親機２０を備えた通信システム１としては，例えば大画面のディスプレイを備えたテレビジョン本体（親機に相当）と，小画面のタッチパネルディスプレイを備えた補助入出力装置（子機に相当）との間で映像や音声の無線によるデータ通信を行う受像システムが挙げられる。このような受像システムに適用した場合の詳細は後述する。
【００４４】
また，本発明の通信システム１は，テレビチューナを備え，ディスプレイを持たないベースステーション（親機に相当）により受信した映像をディスプレイ装置（子機に相当）により無線による双方向通信により受信して表示する受像システムにも適用でき，さらにエアーステーション（親機に相当），パーソナルコンピュータ（子機に相当）との間で無線による双方向通信を行うような通信システムにも適用できる。
【００４５】
次に，本発明を大小２つのディスプレイ装置により放送やインターネットを受信，視聴できる受像システムに適用した第２の実施形態について図面を参照しながら説明する。図７は受像システム１００の全体構成を示す図である。受像システム１００は，ＰＤＰ(Plasma Display Panel)，ＬＣＤ（Liquid Crystal Display)等の大型の表示パネルを有する第１の表示部例えば１次ディスプレイ装置２０２，１次ディスプレイ装置２１０に接続されるメディアレシーバ２０４，小型の表示パネルを有する第２の表示部例えば２次ディスプレイ装置３００を備える。メディアレシーバ２０４は，放送やインターネットを介して各ディスプレイ装置２０２，３００に表示する映像や音楽などのデータを受信するものである。上記１次ディスプレイ装置２０２とメディアレシーバ２０４とは本発明における親機２００を構成し，２次ディスプレイ装置３００は本発明における子機が構成される。
【００４６】
２次ディスプレイ装置３００は，小型例えば７インチのＬＣＤにタッチパネルが積層されて構成される。また，２次ディスプレイ装置３００内には，１次ディスプレイ装置２０２側との通信，圧縮／伸張処理，システム制御等を行う各回路部が内蔵されている。２次ディスプレイ装置３００は，受け台３０２上に置かれ，必要に応じてユーザが持ち運び可能に構成されている。
【００４７】
１次ディスプレイ装置２０２には，メディアレシーバ２０４を介して画面上に表示する映像の映像信号が供給される。映像信号は，例えば放送信号またはインターネットを介して配信されるストリーミングデータである。これらのうち放送信号は，アンテナ２０６から受信される。またストリーミングデータは，例えばスイッチ１１０にＬＡＮ(Local Area Network)接続されたモデム（ＭＯＤＥＭ）１２０を介して例えばインターネット１３０などの回線網からメディアレシーバ２０４に供給される。スイッチ１１０は複数の分岐端子を備えるスイッチとし，一方の分岐端子にメディアレシーバ２０４を接続し，他の分岐端子にはパーソナルコンピュータ１４０を接続するようにしてもよい。
【００４８】
上記モデム１２０は，例えばＡＤＳＬ(Asymmetric Digital Subscriber Line)ＭＯＤＥＭ(modulator-demodulator)により構成され，ＡＤＳＬのＷＡＮ(Wide
Area Network)側はインターネット１３０に接続され，ＡＤＳＬのＬＡＮ側には上記スイッチ１１０が接続される。ＡＤＳＬは，ブロードバンド接続の一例であり，外にＣＡＴＶ，ＦＴＴＨ等を使用したブロードバンド接続を介して映像コンテンツを受信するようにしてもよい。さらに，ＩＰ(Internet
Protocol)ストリーミング放送を利用してストリーミングデータを得るようにすることもできる。なお，通常は映像コンテンツなどのデータには，映像データの他，音声データ，音楽データなどの音響データが付随している。
【００４９】
メディアレシーバ２０４は，１次ディスプレイ装置２０２および２次ディスプレイ装置３００のそれぞれに対して別々のテレビジョン放送番組を供給することを可能とするために，例えば２個のチューナを備えるようにしてもよい。メディアレシーバ２０４は，無線ＬＡＮのアクセスポイント２０８を介して２次ディスプレイ装置３００に対して映像信号を送信する。一方，２次ディスプレイ装置３００からアクセスポイント２０８に対して，リモコン信号等の制御用データを送信でき，双方向通信が可能とされている。例えばＩＥＥＥ(Institute of Electrical and Electronics Engineers)802.11 の無線方式を使用でき，その中の例えば802.11a
の規格を使用できる。この規格は，5.2 ＧHzの周波数を使用し，最大で５４Ｍbps の伝送速度を実現できるものである。
【００５０】
次に，メディアレシーバ２０４と２次ディスプレイ装置３００の具体的な構成例を説明する。図８は，メディアレシーバと２次ディスプレイ装置との概略構成を示すブロック図である。図８は受信した映像コンテンツなどのデータの画像処理や通信処理などのデータ処理を行う各回路部をブロック図で示している。１次ディスプレイ装置２０２は，例えば３０インチ以上の比較的大型の表示パネル２０３とその駆動部（図示しない）を備える。
【００５１】
メディアレシーバ２０４には，データ入力部を備える。データ入力部として，例えば地上波受信用のメインチューナ２１０ａおよびサブチューナ２１０ｂを備える。このように，２つのチューナを備えることにより，１次ディスプレイ装置２０２および２次ディスプレイ装置３００のそれぞれに対して別々のテレビジョン放送番組を供給することができる。本実施形態では，メインチューナ２１０ａが１次ディスプレイ装置２０２のために使用され，サブチューナ２１０ｂが２次ディスプレイ装置（子機）３００のために使用される。チューナ２１０ａおよび２１０ｂには，図示はしないが，ＵＨＦ／ＶＨＦアンテナの出力が供給される。
【００５２】
また，上記データ入力部として上記の他，ＢＳ(Broadcasting Satellite)および１１０°ＣＳ(Communication Satellite)受信用のデジタルチューナ２１２を備える。デジタルチューナ２１２には，図示はしないが，ＢＳ／１１０°ＣＳ受信用のパラボラアンテナの出力が供給される。なお，インターネットからのストリーミングデータなどを入力するＬＡＮ２１４もデータ入力部を構成する。
【００５３】
上記メインチューナ２１０ａおよびサブチューナ２１０ｂのそれぞれ映像信号は，ＡＶスイッチ２２０に供給される。ＡＶスイッチ２２０から出力される出力映像信号は，画像処理部２２２および信号処理部２３０へ入力される。画像処理部２２２は，例えば解像度をより高める等の画質を改善するための画像処理を行う。
【００５４】
画像処理部２２２の出力信号は，ディスプレイインターフェース例えばＤＶＩ(Digital Visual Interface)２２４を介して１次ディスプレイ装置２０２の表示パネル２０３へ入力される。ＤＶＩ２２４の前段には，図示しないが，表示パネル２０３の画質調整回路が設けられている。さらに，表示パネル２０３に対してデジタル映像信号を供給する場合に，放送コンテンツの不正なコピーを防止するコピー防止信号も出力される。例えばＨＤＣＰ(High
bandwidth Digital Content Protection)をコピーを防止するために使用することができる。
【００５５】
デジタルチューナ２１２の出力信号がビデオデコーダ２４２へ入力される。例えばＭＰＥＧ２(Moving Picture Experts Group Phase 2)の復号がビデオデコーダ２４２によってなされる。ビデオデコーダ２４２からのＨＤ(High
Definition)映像信号が画像処理部２２２に供給され，ＤＶＩ２２４を介して表示パネル２０３へ入力される。
【００５６】
ビデオデコーダ２４２は，ＳＤ(Standard Definition)映像信号（例えば有効ライン数が４８０本のインタレース信号）を信号処理部２３０へ出力する機能を有する。なお，メディアレシーバ２０４は，１次ディスプレイ装置２０２およびメディアレシーバ２０４の動作を制御するシステムコントローラ２４４を備える。システムコントローラ２４４は，ＣＰＵ(Central
Processing Unit)などから構成されている。例えばシステムコントローラ２４４は，メインチューナ２１０ａおよびサブチューナ２１０ｂの両者の選局状態をそれぞれ制御し，この制御のために各チューナ２１０の現在の選局状態情報を持っている。
【００５７】
信号処理部２３０には，ＡＶスイッチ２２０からの信号の他，インターネットを介して受信したストリーミングデータ，ホームページ等のＨＴＭＬ(Hypertext Markup Language)コンテンツのデータがＬＡＮ２１４を介して供給される。信号処理部２３０は，
２つのＤＳＰ(Digital
Signal Processor)２３３，２３４，例えばＣＰＵで構成されるコントローラ２３６，ブリッジ２３７を備える。上記ＤＳＰ２３３，２３４は，バス例えばＰＣＩ(Peripheral
Component Interconnect)２３５に接続され，コントローラ２３６がブリッジ２３７を介してＰＣＩ２３５に接続されている。
【００５８】
信号処理部２３０は，入力されたストリーミングデータの復号処理（例えばＭＰＥＧ４，Windows（登録商標）Media Player，Real Video等の符号化の復号処理）を行う。復号処理された映像信号は画像処理部２２２に供給され，１次ディスプレイ装置２０２によって表示される。これにより，１次ディスプレイ装置２０２では，メインチューナ２１０ａおよびデジタルチューナ２１２のそれぞれからの放送信号を表示でき，またブロードバンドを介してＬＡＮ２１４から受信したＨＴＭＬコンテンツおよびストリーミングコンテンツを表示できる。
【００５９】
信号処理部２３０は，サブチューナ２１０ｂおよびデジタルチューナ２１２からの映像信号を暗号化し，さらに暗号化した映像信号を無線で送信可能なフォーマットに変換し，アクセスポイント２０８を介して２次ディスプレイ装置３００に送出する。ブロードバンドを介して受信したストリーミングコンテンツを２次ディスプレイ装置３００において表示する時には，信号処理部２３０では，復号がなされず，ストリーミング圧縮フォーマットにて圧縮された状態のまま，すなわちスルーでアクセスポイント１０８を介して２次ディスプレイ装置３００に対して送出する。一方，アクセスポイント１０８で受信された２次ディスプレイ装置３００からの制御信号を処理し，１次ディスプレイ装置２０２側のシステムコントローラ２４４に対して送出する。この場合，ストリーミングコンテンツの復号処理は，２次ディスプレイ装置３００においてなされる。
【００６０】
上記２次ディスプレイ装置３００は，１次ディスプレイ装置２０２側との通信，圧縮／伸張処理，システム制御等を行う各回路部３０４を備える。２次ディスプレイ装置３００の各回路部３０４は，アクセスポイント２０８と無線通信を行う送受信機３１０，この送受信機３１０に接続された信号処理部３２０を備える。信号処理部３２０は，２次ディスプレイ装置３００の動作を制御するシステムコントローラ３２２，ＤＳＰ３２４とを備える。システムコントローラ３２２とＤＳＰ３２４とはＰＣＩ３２６を介して接続されている。
【００６１】
信号処理部３２０には，表示パネル例えばＬＣＤ３３２，このＬＣＤ３３２の画面に積層された透明なタッチパネル３３４，スピーカ３３６が接続される。また，信号処理部３２０には例えばメモリカード挿着部に挿着されるメモリカード３３８が接続されている。さらに，後述する電源制御部に設けられた電源としてのバッテリを備える。バッテリは，例えば図７に示す受け台３０２内に収納された電源供給回路からの電源により充電可能である。信号処理部３２０は，アクセスポイント３０８から受信した暗号化映像信号を復号し，またインターネット１３０を介して受信したデータを復号し，復号信号をＬＣＤ３３２に表示する。さらに，タッチパネル３３４の操作で発生したコマンド等の制御信号を１次ディスプレイ装置２０２側に送信する。さらに，メモリカード３３８に格納されている静止画などのデータを復号処理し，ＬＣＤ３３２に表示する機能などを有している。
【００６２】
このような受像システム１００においては，メインチューナ２１０ａにて復調されたベースバンドのアナログ映像信号は，デジタル信号に変換されて，画像処理部２２２で画質改善の処理，並びにインタレース・プログレッシブ変換の処理を受けた後にＤＶＩ２２４を介して表示パネル２０３へ出力される。
【００６３】
また，サブチューナ２１０ｂにて復調されたベースバンドアナログ信号は，信号処理部２３０に供給され，デジタル信号に変換されてからＭＰＥＧ２，ＭＰＥＧ４等のデジタル圧縮フォーマットで圧縮される。そして，圧縮映像信号が暗号化の処理を受けてからアクセスポイント２０８を介して無線ＬＡＮで２次ディスプレイ装置３００へ送信される。２次ディスプレイ装置３００の信号処理部３２０にて暗号化の復号処理および伸張処理を受け，ＬＣＤ３３２にて表示される。
【００６４】
入力ソースがデジタル放送信号の場合では，デジタルチューナ２１２にデジタル放送信号が入力され，デジタルチューナ２１２のデジタルフロントエンドブロックにて復調された後にビデオデコーダ２４２でデジタルビデオ信号が復号される。デジタルビデオ信号が画像処理部２２２およびＤＶＩ２２４を介して表示パネル２０３に表示される。
【００６５】
ビデオデコーダ２４２から出力されるＳＤ信号の映像信号は，信号処理部２３０に送られ，信号処理部２３０によってデジタル圧縮フォーマットにて圧縮され，暗号化される。そして，無線ＬＡＮのアクセスポイント２０８から２次ディスプレイ装置３００に対して送信される。また，入力ソースがＨＤ信号の場合では，ＳＤ信号の映像信号へダウンコンバートしてから信号処理部２３０へ送信する。このダウンコンバートは，デジタル放送コンテンツの著作権保護のために行う処理である。
【００６６】
入力ソースがインターネットからのストリーミングコンテンツの場合では，ＬＡＮ２１４から入力された信号が信号処理部２３０において，ストリーミング圧縮フォーマット（ＭＰＥＧ４，Windows（登録商標）Media，Real Video等）に応じてストリーミングデコード処理がなされ，画像処理部２２２およびＤＶＩ２２４を介して表示パネル２０３に対して送られる。
【００６７】
また，２次ディスプレイ装置３００においてストリーミングコンテンツを表示する場合には，信号処理部２３０においてデコード処理を受けずに，ストリーミング圧縮フォーマットで圧縮された状態のままで，無線ＬＡＮによって２次ディスプレイ装置３００に対して送出される。そして，２次ディスプレイ装置３００の信号処理部３２０によってストリーミング圧縮の復号処理がなされ，ＬＣＤ３３２に復号された映像が表示されると共に，復号された音声がスピーカ３３６により再生される。この処理によって，ストリーミングコンテンツの復号および再符号化の処理によるコンテンツの劣化を防止することができる。
【００６８】
なお，上記受像システム１００において受信するアナログ放送信号のコンテンツ，デジタル放送信号のコンテンツ，ストリーミングコンテンツなどのマルチメディアコンテンツに対しては，所定の著作権保護処理が行われる。
【００６９】
次に，１次ディスプレイ装置２０２とメディアレシーバ２０４より構成される親機２００と，２次ディスプレイ装置３００により構成される子機についての電源部の構成を図面を参照しながら説明する。図９は，２次ディスプレイ装置３００からなる子機の電源部の構成を含むブロック図である。
【００７０】
先ず，２次ディスプレイ装置３００により構成される子機は，図４に示すように，上述したような１次ディスプレイ装置２０２側との通信，圧縮／伸張処理，システム制御等を行う各回路部３０４の他，２次ディスプレイ装置３００の電源をオン又はオフするための電源スイッチ３５０，電源スイッチ３５０のオン又はオフに応じてバッテリからの電源電圧をコンバータ３５４を介して各回路部３０４へ供給するための電源制御部３５２を備える。上記コンバータ３５４は，例えば２次ディスプレイ装置３００内に内蔵されたバッテリの電源電圧を各回路部３０４に必要な電圧に変換するものである。より具体的にはコンバータ３５４はＤＣ−ＤＣコンバータなどにより構成される。
【００７１】
また，２次ディスプレイ装置３００は，電源スイッチ３５０のオン又はオフに連動してオン又はオフする連動スイッチ３６０と，この連動スイッチ３６０のオン又はオフに応じて，例えば１次ディスプレイ装置２０４の電源をオン又はオフするための光信号（電源制御信号）を発光させる発光部３６２とを備える。発光部３６２は，発光素子とそのコントローラとを備える。具体的には例えば発光部３６２は，赤外線を発光するＩＲＬＥＤ（ＩＲ発光ダイオード）と，ＩＲＬＥＤを制御するＩＲコントローラにより構成される。
【００７２】
一方，１次ディスプレイ装置を有する親機２００の構成を図１０に示す。図１０は，１次ディスプレイ装置を有する親機２００の電源部の構成を含むブロック図である。なお，図１０は説明を簡単にするために１次ディスプレイ装置２０２側の構成とメディアレシーバ２０４側の構成をまとめて示している。例えば図１０における各回路部２５８，電源制御部２５４，コンバータ２５６は，１次ディスプレイ装置２０２側のものとメディアレシーバ２０４側のものとをまとめて示している。
【００７３】
図１０に示すように，親機２００を構成する１次ディスプレイ装置２０２とメディアレシーバ２０４の電源をオン又はオフする電源スイッチ２５０と，２次ディスプレイ装置（子機）３００の発光部３６２からの光信号（電源制御信号に相当）を受信する受光部２５２と，電源スイッチ２５０のオン又はオフ又は受光部２５２で受信した電源制御信号に基づいて例えば商用電源からの電源電圧を１次ディスプレイ装置２０２とメディアレシーバ２０４の各回路部２５８へコンバータ２５６を介して供給する電源制御部３５２を備える。コンバータ２５６は，例えば１次ディスプレイ装置２０２とメディアレシーバ２０４の電源である商用電源からの電圧を各回路部３０４に必要な電圧に変換するものである。
【００７４】
なお，親機２００の電源スイッチ２５０は，１次ディスプレイ装置２０２とメディアレシーバ２０４のいずれに設けてもよく，１つの電源スイッチ２５０のオン又はオフで１次ディスプレイ装置２０２とメディアレシーバ２０４がともにオン又はオフするようになっている。また，本実施形態における親機２００の受光部２５２はメディアレシーバ２０４側に設けているが，これに限られることはなく，親機２００の受光部２５２は１次ディスプレイ装置２０２側に設けるようにしてもよい。
【００７５】
このような構成の受像システム１００において電源を投入する際の動作について図面を参照しながら説明する。図１１は，受像システム１００の電源投入時の動作を示す作用説明図である。
【００７６】
図１１（ａ）に示すように，例えば２次ディスプレイ装置（子機）３００の電源スイッチ３５０をオンすると，電源制御部３５２により２次ディスプレイ装置３００の各回路部３０４に必要な駆動電圧が供給されるとともに，電源スイッチ３５０に連動して連動スイッチ３６０がオンし，図１１（ｂ）に示すように発光部３６２から赤外線による光信号（電源制御信号）が発信される。親機２００は２次ディスプレイ装置（子機）３００からの光信号（電源制御信号）を受光部２５２で受信すると，親機２００側の電源スイッチ２５０がオンされていなくても，親機２００の各回路部２５８へ例えば商用電源から必要な駆動電圧が供給される。具体的には，親機２００の１次ディスプレイ装置２０２とメディアレシーバ２０４はスタンバイ状態（駆動電力よりもはるかに小さい待機電力が印加されている状態）から電源オンの状態（駆動電力が印加される状態）になるので，２次ディスプレイ装置（子機）３００と親機２００のメディアレシーバ２０４との間で相互通信が可能となる。
【００７７】
このように，２次ディスプレイ装置（子機）３００の電源がオンされると，親機２００の電源が自動的にオンされ，親機２００のメディアレシーバ２０４と２次ディスプレイ装置（子機）３００との間で相互通信が可能となるため，図１１（ｃ）に示すように，２次ディスプレイ装置（子機）３００は，親機２００のメディアレシーバ２０４との間で無線通信上の認証（相互認証）を行う。そして，無線通信が確立すると，親機２００のメディアレシーバ２０４と２次ディスプレイ装置（子機）３００との間で放送映像コンテンツやストリーミングコンテンツなどのマルチメディアコンテンツのデータ送受信が可能となり，これらの映像や音楽が親機２００の１次ディスプレイ装置２０２のみならず，２次ディスプレイ装置（子機）３００でも表示することができるようになる。
【００７８】
このような構成の受像システム１００によれば，例えば２次ディスプレイ装置（子機）３００の電源スイッチをオンするだけで親機２００の１次ディスプレイ装置２０２，メディアレシーバ２０４の電源をオンすることができるので，親機２００の電源スイッチ２５０まで投入しに行く手間を省くことができる。これにより，例えば２次ディスプレイ（子機）３００の電源をオンするだけで，親機２００のメディアレシーバ２０４と間で無線による双方向のデータ通信が可能となるので，操作性を向上させることができる。
【００７９】
特に，本実施形態にかかる受像システムでは，２次ディスプレイ装置（子機）３００は親機２００のメディアレシーバ２０４に内蔵されたチューナより受信した放送映像などを無線通信によって受信することにより，その放送映像を２次ディスプレイ装置（子機）３００に表示させることができる。このため，たとえ２次ディスプレイ装置（子機）３００側だけで放送映像などを見たい場合，２次ディスプレイ装置（子機）３００の電源スイッチ３５０をオンするだけで，親機２００のメディアレシーバ２０４の電源が自動的にオンされ，２次ディスプレイ装置（子機）３００とメディアレシーバ２０４との間で無線通信が可能となる。このように，２次ディスプレイ装置（子機）３００側の電源スイッチ３５０をオンするだけで，子機側のみでも映像を見ることができるので，親機側の電源スイッチもオンしなければならなかった従来に比して操作性を向上させることができる。
【００８０】
なお，第２の実施形態では，２次ディスプレイ装置（子機）３００側の電源スイッチ３５０をオンすると，メディアレシーバ２０４全体の電源をオンし，図８に示す各回路部すべてに対して駆動電圧を供給する場合について説明したが，必ずしもこれに限定されるものではなく，メディアレシーバ２０４の各回路部のうち，最小限必要な一部について駆動電圧を供給するようにしてもよい。例えば少なくとも２次ディスプレイ装置（子機）３００と無線による双方向データ通信を行う部分（送受信部）と，映像コンテンツなどのマルチメディアコンテンツを受信するメインチューナ２１０ａ，サブチューナ２１０ｂ，ＢＳ／ＣＳチューナ２１２などのコンテンツ受信部とに駆動電圧を供給するようにしてもよい。具体的には例えば図８に示す各回路部のうち，一点鎖線で囲んだ部分に駆動電圧を供給する。
【００８１】
このように，メディアレシーバ２０４の各回路部のうち一部について駆動電圧を供給することにより，メディアレシーバ２０４で受信したマルチメディアコンテンツの映像を２次ディスプレイ装置（子機）３００側のみで見るのに必要十分な部分だけを駆動させることができる。この場合は，多くの消費電力が必要な大画面の１次ディスプレイ装置２０２などはオフしているため，消費電力を軽減させることができる。
【００８２】
また，上記のように２次ディスプレイ装置（子機）３００の電源スイッチ３５０をオンすることにより，メディアレシーバ２０４の各回路部のうち一部について駆動電圧を供給する場合には，図１２に示すように２次ディスプレイ装置（子機）３００側に１次ディスプレイ装置２０２の電源をオンするための１次ディスプレイ用スイッチ３７０を電源スイッチ３５０とは別に設けてもよい。
【００８３】
このような１次ディスプレイ用スイッチをオン又はオフすると，これに連動して２次ディスプレイ装置（子機）３００側の発信手段例えば発光部３６２から１次ディスプレイ電源制御信号例えば赤外線による光信号が送信される。この光信号（１次ディスプレイ電源制御信号）は，親機２００のメディアレシーバ２０４の受信手段例えば受光部２５２により受信され，１次ディスプレイ装置２０２及びメディアレシーバ２０４の各回路部のうち１次ディスプレイ装置２０２に対する処理を行う部分（例えば図８において一点鎖線で囲まない残りの部分）に駆動電圧を供給又は遮断する。これにより，１次ディスプレイ装置２０２でも映像を見たいときには，２次ディスプレイ装置（子機）３００における１次ディスプレイ用スイッチをオンするだけで，１次ディスプレイ装置２０２に電源が入り映像を見ることができる。
【００８４】
なお，上記１次ディスプレイ用スイッチ３７０は，図１２に示すように２次ディスプレイ装置（子機）３００に電源スイッチ３５０に並べて設ける構成に限られない。例えば１次ディスプレイ用スイッチ３７０をＬＣＤ３３２により表示させてタッチパネル３３４の操作により１次ディスプレイ用スイッチ３７０のボタン操作ができるように構成してもよい。本実施形態にかかる２次ディスプレイ装置（子機）３００では電源スイッチ３５０をオンすることにより，親機２００のメディアレシーバ２０４の電源も自動的にオンされ，２次ディスプレイ装置（子機）３００と親機２００のメディアレシーバ２０４との無線通信が確立するため，１次ディスプレイ電源制御信号は，タッチパネル３３４の操作により１次ディスプレイ用スイッチ３７０のボタン操作を行うことにより，無線通信によって発信してもよい。
【００８５】
また，上記１次ディスプレイ用スイッチ３７０を別途設けることなく，例えば電源スイッチ３５０の長押し操作により１次ディスプレイ装置２０２の電源をオンするようにしてもよい。
【００８６】
また，第２の実施形態では，子機の発信手段としては，２次ディスプレイ装置（子機）３００の電源スイッチ３５０に連動する連動スイッチ３６０と，この連動スイッチ３６０により赤外線による電源制御信号を発信する発光部３６２とから構成し，親機の受信手段としては，２次ディスプレイ装置（子機）３００からの赤外線による電源制御信号を受信する受光部２５２とから構成した場合について説明したが，必ずしもこれに限られるものではない。
【００８７】
例えば第１の実施形態の場合と同様に，子機の発信手段は，必ずしも電源スイッチ３５０に連動する図９に示すような連動スイッチ３６０を設ける必要はなく，連動スイッチ３６０を設ける代わりに電源スイッチ３５０がオン又はオフすることを判断する判断部を設け，この判断部の判断結果に応じて発光部３６２から電源制御信号を発光させるようにしてもよい。さらに，子機の発信手段は，例えば自動車などのキーレスエントリシステムで使用されるような，所定の電波信号を発信するトランスミッタにより構成し，親機の電源制御信号受信部は，トランスミッタからの電波信号を受信するレシーバにより構成するようにしてもよい。
【００８８】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００８９】
本発明は，通信システム，送受信装置，受像システム，通信方法に適用可能である。
【図面の簡単な説明】
【００９０】
【図１】本発明の第１の実施形態にかかる通信システムの構成例を示すブロック図である。
【図２】同実施形態にかかる通信システムの電源投入時の動作を説明するための作用説明図である。
【図３】同実施形態にかかる通信システムの他の構成例を示すブロック図である。
【図４】同実施形態にかかる通信システムの他の構成例を示すブロック図である。
【図５】同実施形態にかかる通信システムの他の構成例を示すブロック図である。
【図６】図５に示す通信システムにおけるトランスミッタとレシーバの具体的な構成例を示す図である。
【図７】本発明の第２の実施形態にかかる受像システムの全体構成例を示す図である。
【図８】同実施形態にかかる受像システムの具体的な構成例を示すブロック図である。
【図９】同実施形態における子機の電源部の構成例を示すブロック図である。
【図１０】同実施形態における親機の電源部の構成例を示すブロック図である。
【図１１】同実施形態にかかる受像システムの電源投入時の動作を説明するための作用説明図である。
【図１２】同実施形態における子機の他の構成例を示すブロック図である。
【符号の説明】
【００９１】
１      通信システム
１０      子機
１２      電源スイッチ
１４      電源制御信号発信部
１６      電源制御部
１８      データ通信部
２０      親機
２２      電源スイッチ
２４      電源制御信号受信部
２６      電源制御部
２８      データ通信部
３２      連動スイッチ
３４      発光部
３６      受光部
４２      判断部
５０      トランスミッタ
６０      レシーバ
１００      受像システム
１０８      アクセスポイント
１１０      スイッチ
１２０      モデム（ＭＯＤＥＭ）
１３０      インターネット
１４０      パーソナルコンピュータ
２００      親機
２０２      １次ディスプレイ装置
２０３      表示パネル
２０４      メディアレシーバ
２０６      アンテナ
２０８      アクセスポイント
２１０ａ      メインチューナ
２１０ｂ      サブチューナ
２１２      デジタルチューナ
２１４      ＬＡＮ
２２０      ＡＶスイッチ
２２２      画像処理部
２２４      ＤＶＩ
２３０      信号処理部
２３６      コントローラ
２３７      ブリッジ
２４２      ビデオデコーダ
２４４      システムコントローラ
２５０      電源スイッチ
２５２      受光部
２５６      コンバータ
２５８      各回路部
３００      ２次ディスプレイ装置（子機）
３０２      受け台
３０４      各回路部
３０８      アクセスポイント
３１０      送受信機
３２０      信号処理部
３２２      システムコントローラ
３２４      ＤＳＰ
３３２      ＬＣＤ
３３４      タッチパネル
３３６      スピーカ
３３８      メモリカード
３５０      電源スイッチ
３５２      電源制御部
３５４      コンバータ
３６０      連動スイッチ
３６２      発光部
３７０      １次ディスプレイ用スイッチ
【図１】
2005303678.tif 000003
【図２】
2005303678.tif 000004
【図３】
2005303678.tif 000005
【図４】
2005303678.tif 000006
【図５】
2005303678.tif 000007
【図６】
2005303678.tif 000008
【図７】
2005303678.tif 000009
【図８】
2005303678.tif 000010
【図９】
2005303678.tif 000011
【図１０】
2005303678.tif 000012
【図１１】
2005303678.tif 000013
【図１２】
2005303678.tif 000014